(57)【要約】  【課題】ピッキングの進捗状況にかかわらず、適切なタイミングで確実に保管棚に物品を補充可能な物品補充方法を提供する。  【解決手段】本発明の方法は、保管棚２に保管された複数の物品１０を所定のオーダー情報に応じてピッキングする際、保管棚２に物品１０を補充する方法である。本発明では、保管棚２に所定の物品１０を補充するよう指示を発するタイミングをオーダー情報に基づいて仮設定し、その後、実際のピッキングの進捗状況に応じて当該物品補充指示を発するタイミングを補正するようにする。【選択図】図２
2006008393.tif 000002
【特許請求の範囲】
【請求項１】
保管棚に保管された複数の物品を所定のオーダー情報に応じてピッキングする際、前記保管棚に物品を補充する方法であって、
前記保管棚に所定の物品を補充するよう指示を発するタイミングを前記オーダー情報に基づいて仮設定し、実際のピッキングの進捗状況に応じて当該物品補充指示を発するタイミングを補正することを特徴とする物品補充方法。
【発明の詳細な説明】
【技術分野】
【０００１】
本発明は、保管棚に対して物品を補充する方法に関し、特に低温に温度管理が必要な物品等を保管棚に自動的に補充するための方法に関する。
【背景技術】
【０００２】
一般に、保管棚に保管された物品をピッキングするシステムにおいては、ピッキング作業の際に、継続的に保管棚に物品を補充する必要がある。
【０００３】
従来、この種のピッキングシステムにおいて保管棚に物品を補充する方法としては、保管棚の在庫状況にかかわらず強制的に物品を保管棚に補充する方法と、保管棚の在庫が少なくなった時点で補充指示を発して物品を補充する方法とが知られている。
【０００４】
しかし、このような従来の方法においては、次にような課題がある。
すなわち、保管棚の在庫状況にかかわらず強制的に物品を保管棚に補充する方法においては、例えば一定時間温度管理が必要な物品を保管する場合に、補充する物品の経路全てに対して温度管理を行う必要が生ずる。
【０００５】
一方、保管棚の在庫が少なくなった時点で補充指示を発して物品を補充する方法にあっては、例えば保管棚と親在庫の保管場所が離れている場合に保管棚への補充が間に合わず、ピッキング作業が中断して作業者が手待ち状態になってしまう場合がある。
【発明の開示】
【発明が解決しようとする課題】
【０００６】
本発明は、上記従来技術の課題を解決するためになされたもので、ピッキングの進捗状況にかかわらず、適切なタイミングで確実に保管棚に物品を補充可能な物品補充方法を提供することを目的とする。
【課題を解決するための手段】
【０００７】
上記目的を達成するためになされた本発明は、保管棚に保管された複数の物品を所定のオーダー情報に応じてピッキングする際、前記保管棚に物品を補充する方法であって、前記保管棚に所定の物品を補充するよう指示を発するタイミングを前記オーダー情報に基づいて仮設定し、実際のピッキングの進捗状況に応じて当該物品補充指示を発するタイミングを補正することを特徴とするものである。
【０００８】
本発明の場合、保管棚に所定の物品を補充するよう指示を発するタイミングをオーダー情報に基づいて仮設定し、実際のピッキングの進捗状況に応じて当該物品補充指示を発するタイミングを補正するようにしたことから、ピッキング作業が遅れたり早まった場合であっても、ピッキングの際にジャストインタイムで当該物品を供給することができる。
その結果、本発明によれば、保管棚に物品が滞留する時間を最小限にすることができるので、例えば低温管理が必要な物品等の劣化を防止することができる。
【０００９】
また、本発明によれば、ピッキングの際に確実に物品を補充しておくことができるので、ピッキング作業が中断することがなく、作業効率を向上させることができる。
【発明の効果】
【００１０】
本発明によれば、ピッキングの進捗状況にかかわらず、適切なタイミングで確実に保管棚に物品を補充可能な物品補充方法を提供することができる。
【発明を実施するための最良の形態】
【００１１】
以下、本発明に係る物品補充方法の最良の実施形態を図面を参照して詳細に説明する。
【００１２】
図１は、本発明方法を実施するためのピッキングシステムの一例を示す概略構成平面図、図２は、本発明方法の実施の形態を示すフローチャートである。
【００１３】
図１に示すように、本実施の形態のピッキングシステム１は、ピッキングする物品１０を保管する保管棚２と、多数の集品箱３を搬送するベルトコンベヤ４とが隣接して配置構成されている。
【００１４】
保管棚２は、例えばフローラックから構成されるもので、本例においては、それぞれ４つのピッキングゾーンが割り当てられるようになっている（ゾーンａ〜ゾーンｄ）。
【００１５】
この保管棚２は、図示しない制御用コンピュータからの物品補充指示命令に従い、所定の補充機を用い、保管棚２に対し背面側から所定の物品（アイテム）１０を所定のタイミングで自動的に補充するように構成されている。なお、本実施の形態の場合、各物品１０は、補充箱１１に詰めた状態で補充される。
【００１６】
保管棚２の各間口部には、図示しない制御用コンピュータからの指令によって作業者Ｍに対してピッキングの数量をディジタル表示する数量表示器（ピッキング用表示器）５が設けられている。
【００１７】
なお、ベルトコンベヤ４の作業位置側の側部には、投入完了を指示するための複数のリセットスイッチ（図示せず）が設けられている。
【００１８】
そして、ベルトコンベヤ４のピッキングゾーンａの下流側近傍には、通過する集品箱３を検出するための第１のセンサ６が設けられ、また、ベルトコンベヤ４のピッキングゾーンのピッキングゾーンｄの上流側近傍には、ピッキングが終了した集品箱３を検出するための第２のセンサ７が設けられている。
【００１９】
これら第１及び第２のセンサ６、７は、ともに図示しない制御用コンピュータに接続され、通過した集品箱３の情報を制御用コンピュータに送出するようになっている。
【００２０】
図２は、本発明方法の実施の形態を示すフローチャート、図３及び４は、本実施の形態における補正の具体例を示す説明図である。
【００２１】
図２に示すように、本実施の形態においては、まず、ステップＳ１に示すように、ピッキングすべきオーダーに対応する進捗シミュレーションを行う。
【００２２】
ここでは、与えられたオーダー情報と、現在保管棚２に保管されている物品１０の情報に基づいて、ピッキングすべき物品１０を把握する。
【００２３】
そして、ベルトコンベヤ４の搬送速度、ピッキング能力等により、ピッキングの対象となる各オーダーについて、ピッキング作業を開始する予定時刻（以下「ピッキング開始予定時刻」という。）と、ピッキング作業を完了する予定時刻（以下「ピッキング完了予定時刻」という。）のデータを設定し、これをデータベース１として格納する。
【００２４】
この場合、例えば図３に示すように、最初のオーダー１については、９時００分にピッキング作業を開始し、９時１２分にピッキング作業を完了、次のオーダー２については、９時０４分にピッキング作業を開始し、９時１５分にピッキング作業を完了（以下同様）……というデータを設定する。
【００２５】
本実施の形態においては、ピッキング開始予定時刻は、図１のピッキングシステムにおいて、当該オーダーに対応する集品箱３が第１のセンサ６を通過する時刻、ピッキング完了予定時刻は、同集品箱３が第２のセンサ７を通過する時刻とする。
【００２６】
次いで、ステップＳ２では、オーダー情報に基づいて、保管棚２に対する物品１０の補充シミュレーションを行う。
【００２７】
ここでは、補充する各アイテムについて、どのオーダーで補充が必要になるか、すなわち、オーダーと物品１０の補充の関連付けを行い、これをデータベース２として格納する。
【００２８】
ステップＳ３では、上記データベース１とデータベース２に基づいて、各アイテム毎に補充が必要となる時刻（タイミング）を算定して仮設定し、これを物品補充指示のデータとしてデータベース３に格納する。
【００２９】
ステップＳ４では、実際に物品１０のピッキングを開始する。
ここでは、図１のピッキングシステムにおいて、各集品箱３が第１のセンサ６を通過する時刻と第２のセンサ７を通過する時刻を測定し、制御用コンピュータに送出する。
【００３０】
ステップＳ５では、ステップＳ３において設定されたピッキング完了予定時刻と、ステップＳ４において測定されたピッキング完了時刻とを比較計算し、例えば分単位で差異が生じている場合には、ステップＳ６に進む。
【００３１】
そして、ステップＳ６では、各オーダーについて、ピッキング完了予定時刻とピッキング完了時刻との差分を上述したデータベース３にインプットし、ステップＳ７において、その結果を反映させるように補正する。
【００３２】
ここで、図３に示すように、例えば、９時１２分にピッキングを完了すべきオーダー１が、９時１４分に完了した場合には、その差異時間の２分の作業遅れとして上記補充必要時刻を２分遅らせる。
【００３３】
一方、９時３２分にピッキングを完了すべきオーダー４が、９時３１分に完了した場合には、１分の作業早まりとして上記補充必要時刻を１分早める。
以下、各オーダー２以降について、同様の処理を行う。
【００３４】
なお、ステップＳ５においては、ステップＳ３において設定されたピッキング開始予定時刻と、ステップＳ４において測定されたピッキング開始時刻とについても比較計算し、例えば分単位で差異が生じている場合には、その差分を上述したデータベース１に反映させる。
【００３５】
例えば、図４に示すように、９時００分にピッキングを開始すべきオーダー１が、９時０１分に開始した場合には、１分の作業遅れとして後続のオーダーについてピッキング開始予定時刻及びピッキング完了時刻をそれぞれ１分遅らせる。
【００３６】
これに伴い、データベース３を更新し、上記補充必要時刻についても１分遅らせる。
【００３７】
以上述べたように本実施の形態にあっては、保管棚２に対する物品補充指示を発するタイミングをオーダー情報に基づいて一旦仮設定し、その後、実際のピッキングの進捗状況に応じて当該物品補充指示を発するタイミングを補正するようにしたことから、ピッキング作業が遅れたり早まった場合であっても、ピッキングの際にジャストインタイムで当該物品を供給することができる。
その結果、本実施の形態によれば、保管棚２に物品１０が滞留する時間を最小限にすることができるので、例えば低温管理が必要な物品等の劣化を防止することができる。
【００３８】
また、本実施の形態によれば、ピッキングの際に確実に物品１０を補充しておくことができるので、ピッキング作業が中断することがなく、作業効率を向上させることができる。
【００３９】
なお、本発明は上述の実施の形態に限られることなく、種々の変更を行うことができる。
例えば、上述の実施の形態では、仮設定した補充必要（物品補充指示）時刻の補正を１分単位で行うようにしたが、本発明はこれに限られず、ピッキングシステムに応じて秒単位又は２分以上の単位で補正することも可能である。
【００４０】
また、本発明は低温に温度管理が必要な物品をピッキングする場合のみならず、種々の物品をピッキングする場合に適用することができる。
【００４１】
さらに、本発明の方法は、上述した自動補充可能なピッキングシステムのみならず、例えば人手によって物品を補充するシステムなど種々のピッキングシステムに適用することができる。
ただし、本発明は、上述した自動補充可能なピッキングシステムに適用した場合に最も有効となるものである。
【図面の簡単な説明】
【００４２】
【図１】本発明方法を実施するための集品システムの一例を示す概略構成平面図である。
【図２】本発明方法の実施の形態を示すフローチャートである。
【図３】同実施の形態における補正の具体例を示す説明図である（その１）。
【図４】同実施の形態における補正の具体例を示す説明図である（その２）。
【符号の説明】
【００４３】
１…ピッキングシステム
２…保管棚
３…集品箱
４…ベルトコンベヤ
６…第１のセンサ
７…第２のセンサ
１０…物品
１１…補充箱
Ｍ…作業者
【図１】
2006008393.tif 000003
【図２】
2006008393.tif 000004
【図３】
2006008393.tif 000005
【図４】
2006008393.tif 000006